(57)【要約】【課題】ピンホール効果を利用するコンタクトレンズであって、横方向の視野が狭められないようにする。【解決手段】スリット付コンタクトレンズ１０は、縦方向の中心となる部分に設けられた横方向に長いスリット状の貫通孔１６と、その周囲の光非透過性材料部分１７とを有し、スリットの縦方向の幅が、装着者の網膜を中心とした焦点深度を拡げて、視力矯正をし、スリットの横方向の長さにより、装着者の横方向の視野が狭められないようにする。【選択図】図１
2015121780.tif 000002
【特許請求の範囲】
【請求項１】
装着時に縦方向の中心となる部分に、横方向に長い貫通孔が形成された光非透過性材料からなり、前記貫通孔は、縦方向の幅が装着者の網膜を中心とした焦点深度が拡がるピンホール効果が生じるようにされていることを特徴とするスリット付コンタクトレンズ。
【請求項２】
請求項１において、
前記貫通孔は、複数のピンホールを横方向に並べて構成されたことを特徴とするスリット付コンタクトレンズ。
【請求項３】
請求項１又は２において、
断面において、レンズ内側面から滑らかに連続する貫通孔中心側に凸の円弧形状とされたことを特徴とするスリット付コンタクトレンズ。
【請求項４】
請求項１乃至３のいずれかにおいて、
前記貫通孔の横方向の長さが、装着者の、少なくとも瞳孔の直径よりも大きく形成されていることを特徴とするスリット付コンタクトレンズ。
【請求項５】
請求項１乃至４のいずれかにおいて、
レンズ内周面の、横方向断面における曲率半径が、縦方向断面における曲率半径よりも大きくされたことを特徴とするスリット付コンタクトレンズ。
【請求項６】
請求項１乃至５のいずれかにおいて、
正面から見て、横方向の長さが縦方向の幅よりも大きくされたことを特徴とするスリット付コンタクトレンズ。
【発明の詳細な説明】
【技術分野】
【０００１】
本発明は、角膜ドーム中央部又は瞳孔に対応する部分が横長の貫通孔とされたコンタクトレンズに関し、特に、光が通る部分により視力が矯正されるスリット付コンタクトレンズに関する。
【背景技術】
【０００２】
例えば、特許文献１において、中心に小孔が形成されていて、装着時に、ピンホール作用によって焦点深度が広がって視力が矯正されるピンホール式コンタクトレンズが提案されている。
【０００３】
このピンホール式コンタクトレンズは、中心にピンホールが形成されているのみであるので、どうしても視界が狭くなってしまい、使用者が、コンタクトレンズ装着状態で歩行することは困難である。
【０００４】
これに対して、例えば、特許文献２に示されるピンホール眼鏡におけるように、コンタクトレンズに十字型に多数のピンホールを形成することも考えられるが、眼鏡レンズと異なり、コンタクトレンズの場合は、多数のピンホールを形成すると、ハードタイプの場合は破損し易く、またソフトタイプの場合は全体が変形し易く形状を維持することができず、装着者の眼球から容易に外れてしまうという問題点を生じる。
【０００５】
又、このように多数のピンホールを形成した構成は、カラーコンタクトレンズには適用することができない。
【先行技術文献】
【特許文献】
【０００６】
【特許文献１】特開平８−２９７４０号公報
【特許文献２】特開２０１１−１１８３２１号公報
【発明の概要】
【発明が解決しようとする課題】
【０００７】
本発明は、上記問題点に鑑みてなされたものであって、装着時に歩行可能な程度の視野を確保すると共に、眼球表面から容易に脱落することがなく、又、カラーコンタクトレンズとしても用いることができるようにしたスリット付コンタクトレンズを提供することを課題とする。
【課題を解決するための手段】
【０００８】
本発明者は、鋭意研究の結果、コンタクトレンズを、角膜ドーム中央部又は瞳孔に対応する部分に横長の貫通孔を形成することによって、視力矯正効果を得ることができると共に、水平方向の視野を確保し、更には、コンタクトレンズを容易に脱落することなく装着できることを見出した。
【０００９】
即ち、以下の実施例により上記課題を解決するものである。
【００１０】
（１）装着時に縦方向の中心となる部分に、横方向に長い貫通孔が形成された光非透過性材料からなり、前記貫通孔は、縦方向の幅が装着者の網膜を中心とした焦点深度が拡がるピンホール効果が生じるようにされていることを特徴とするスリット付コンタクトレンズ。
【００１１】
（２）（１）において、前記貫通孔は、複数のピンホールを横方向に並べて構成されたことを特徴とするスリット付コンタクトレンズ。
【００１２】
（３）（１）又は（２）において、断面において、レンズ内側面から滑らかに連続する貫通孔中心側に凸の円弧形状とされたことを特徴とするスリット付コンタクトレンズ。
【００１３】
（４）（１）乃至（３）のいずれかにおいて、前記貫通孔の横方向の長さが、装着者の、少なくとも瞳孔の直径よりも大きく形成されていることを特徴とするスリット付コンタクトレンズ。
【００１４】
（５）（１）乃至（４）のいずれかにおいて、レンズ内周面の、横方向断面における曲率半径が、縦方向断面における曲率半径よりも大きくされたことを特徴とするスリット付コンタクトレンズ。
【００１５】
（６）（１）乃至（５）のいずれかにおいて、正面から見て、横方向の長さが縦方向の幅よりも大きくされたことを特徴とするスリット付コンタクトレンズ。
【発明の効果】
【００１６】
本発明に係るスリット付コンタクトレンズは、装着時に、角膜ドームの中央部又は瞳孔に対応する中心部分が水平方向に長い貫通孔とされているので、装着時に水平方向の視野の確保が容易であると共に、貫通孔が、角膜ドームの中央部又は瞳孔に対応する部分のみに設けられているので、レンズ自体の変形が少なく容易に脱落することなく装着することができるという効果を有する。
【図面の簡単な説明】
【００１７】
【図１】本発明の実施例１に係るスリット付コンタクトレンズを模式的に示す平面図
【図２】図１のII−II線に沿う断面図
【図３】図１のIII−IIIに沿う断面図
【図４】本発明の実施例２に係る図１と同様の平面図
【図５】図４のＶ−Ｖ線に沿う断面図
【発明を実施するための形態】
【００１８】
本実施形態に係るスリット付コンタクトレンズは、ピンホール効果によって視力を矯正するものであり、ピンホールは縦方向の幅が装着者の網膜を中心とした焦点深度が拡がるように構成され、横方向の長さが、装着者の少なくとも瞳孔の直径よりも大きく形成されていて、装着者の水平方向の視野を確保しつつピンホール効果により視力矯正をするようになっている。
【実施例１】
【００１９】
図１乃至図３に示されるように、本発明の実施例１に係るスリット付コンタクトレンズ（以下スリット付レンズ）１０は、ピンホール効果を利用した視力矯正用であって、角膜１２に装着して用いられる。図２において、符号１４は水晶体を示す。
【００２０】
スリット付レンズ１０は、角膜ドーム（角膜の前端面の最も隆起しているところ）の中央、もしくは、瞳孔に対応する位置で装着時に縦方向の中心となる部分に、横方向に長いスリット状の貫通孔１６が形成されている。符号１７は光非透過性材料の部分を示す。
【００２１】
貫通孔１６は、横方向長さ（幅）Ｈｗが、装着者の、少なくとも瞳孔の直径よりも大きく形成されていて、縦方向幅Ｖｗが、網膜を中心とした焦点深度が拡がるピンホール効果が生じるようにされている。
【００２２】
具体的には、貫通孔１６の縦方向幅Ｖｗは、１．０ｍｍ〜５．０ｍｍの範囲で、装着者が明瞭に視ることができる最大の大きさとするのが良いが、レンズ強度を考慮すると１．０ｍｍが最適である。
【００２３】
又、スリット状の貫通孔１６の横方向幅Ｈｗは、レンズ装着者の瞳孔の横方向の大きさと同一とするのが良いが、瞳孔の大きさは個人差があるので、装着者に応じて３．０ｍｍ〜６．０ｍｍ範囲で調整する。
【００２４】
貫通孔１６の内周面は、レンズ内側面から滑らかに連続する貫通孔１６の中心側に凸とされた凸円弧形状部１８とされていて、装着時に角膜１２を損傷しないようにされている。
【００２５】
又、スリット付レンズ１０の内周面での、横方向断面での横方向曲率半径Ｒｈが、縦方向断面における縦方向曲率半径Ｒｖよりも大きくされている。一般的に、眼球の表面における横方向曲率半径Ｒｈは縦方向曲率半径Ｒｖよりも０．０５ｍｍ〜０．１８ｍｍ程大きくなっている。この実施例では、横方向曲率半径Ｒｈを、縦方向曲率半径Ｒｖよりも上記範囲で大きくして、スリット付レンズ１０が装着者の角膜１２に密着できるようにしている。
【００２６】
又、上記のようにすると、スリット付レンズ１０がその中心周りに回転することを抑制できるので、スリット状の貫通孔１６を常時横方向に長くなる姿勢に維持することができる。
【００２７】
スリット付レンズ１０の製造に関しては、レンズ全体を、上記の横方向曲率半径Ｒｈ、縦方向曲率半径Ｒｖで、光非透過性材料部分１７により形成した後に、レーザ光で貫通孔１６を形成すると良い。
【００２８】
このようにすると、貫通孔１６の内周面は後加工することなく、凸円弧形状部１８が形成される。
【００２９】
なお、スリット付レンズ１０の素材を、カラーコンタクトレンズの着色部と同様の着色素材あるいは不透明素材とすることによって、視力矯正機能を有するカラーコンタクトレンズとすることができる。
【実施例２】
【００３０】
次に、図４、図５を参照して、本発明の実施例２について説明する。
【００３１】
この実施例２に係るスリット付レンズ２０は、実施例１において横長のスリット状の貫通孔１６に代えて、５個のピンホール２２Ａ、２２Ｂ、２２Ｃ、２２Ｄ、２２Ｅを横方向に並べて全体として横長のスリット状となるようにしたものである。
【００３２】
この実施例２に係るスリット付レンズ２０の場合は、各ピンホール２２Ａ〜２２Ｅが独立しているので、実施例１の連続したスリット状の貫通孔１６と比較して、スリット付レンズ２０の変形を抑制することができる。前記ピンホール２２Ａ〜２２Ｅの数は５個であるが、少なくとも３個あれば良い。
【００３３】
なお、上記実施例１、２において、スリット付レンズ１０、２０は平面視で円形とされているが、本発明はこれに限定されるものでなく、図１、図４において二点鎖線で示されるように、全体が横長となるようにしても良い。
【００３４】
このようにすると、特に、横方向曲率半径Ｒｈと縦方向曲率半径Ｒｖを相違させなくても、スリット付レンズの、装着状態での回転を抑制することができる。
【産業上の利用可能性】
【００３５】
本発明は、視力矯正用コンタクトレンズ、おしゃれ用カラーコンタクトレンズとして利用可能性がある。
【符号の説明】
【００３６】
１０、２０…スリット付コンタクトレンズ（スリット付レンズ）
１２…角膜
１４…水晶体
１６、２２…貫通孔
１７…光非透過性材料部分
１８…凸円弧形状部
２２Ａ、２２Ｂ、２２Ｃ、２２Ｄ、２２Ｅ…ピンホール
Ｒｈ…横方向曲率半径
Ｒｖ…縦方向曲率半径
Ｈｗ…横方向幅
Ｖｗ…縦方向幅
【図１】
2015121780.tif 000003
【図２】
2015121780.tif 000004
【図３】
2015121780.tif 000005
【図４】
2015121780.tif 000006
【図５】
2015121780.tif 000007